(57)【要約】【課題】特許文献１の結線チェックシステムは、敷設作業者の結線作業を十分に軽減していないという課題があった。【解決手段】作業支援システムは、端末とサーバとが接続され、前記端末は、ケーブルに付与された標識から読み取った前記ケーブルに対応する第１の識別子を送信する送信部と、前記送信に応じて返信された、前記ケーブルが接続される電気製品の設置場所を示す情報を、自身に備わる画面に表示する表示部と、を備える端末であり、前記サーバは、ケーブルに対応する第１の識別子と、前記ケーブルが接続される電気製品の設置場所を示す情報とを対応づけて記憶するデータベースを備え、受信した前記第１の識別子に対応する前記電気製品の設置場所を示す情報を前記データベースから読み出し、送信するサーバである。【選択図】      図１１
2015188284.tif 000002
【特許請求の範囲】
【請求項１】
ケーブルに付与された標識から読み取った前記ケーブルに対応する第１の識別子を送信する送信部と、
前記送信に応じて返信された、前記ケーブルが接続される電気製品の設置場所を示す情報を、自身に備わる画面に表示する表示部と、を備える、
ことを特徴とする端末。
【請求項２】
前記送信部は、前記電気製品に付与された前記標識から読み取った前記電気製品に対応する前記第２の識別子を送信し、
前記表示部は、前記第２の識別子の前記送信に応じて返信された、前記ケーブルが接続される前記電気製品の接続端子の位置情報を、自身に備わる画面に表示する、
ことを特徴とする請求項１に記載の端末。
【請求項３】
前記ケーブルの画像と関連するデータに、前記電気製品の画像を示す情報が含まれるときには、前記ケーブルに対応する前記第１の識別子と、前記電気製品の前記設置場所を示す情報とを対応づけて前記サーバに送信する、
ことを特徴とする請求項１乃至２のいずれか１項に記載の端末。
【請求項４】
前記標識は、ＡＲ（Ａｕｇｍｅｎｔｅｄ  Ｒｅａｌｉｔｙ）マーカーである、
ことを特徴とする請求項１乃至３のいずれか１項に記載の端末。
【請求項５】
ケーブルに対応する第１の識別子と、前記ケーブルが接続される電気製品の設置場所を示す情報とを対応づけて記憶するデータベースを備え、
受信した前記第１の識別子に対応する前記電気製品の設置場所を示す情報を前記データベースから読み出し、送信する、
ことを特徴とするサーバ。
【請求項６】
前記データベースは、前記第１の識別子と対応づけて、前記ケーブルが接続される前記電気製品の接続端子の位置情報と、前記電気製品に対応する所定の第２の識別子と、を記憶し、
受信した前記第１の識別子及び前記第２の識別子に対応する前記接続端子の位置情報を前記データベースから読み出し、送信する、
ことを特徴とする請求項５に記載のサーバ。
【請求項７】
受信した前記第１の識別子及び前記電気製品の設置場所を示す情報を前記データベースに登録する、
ことを特徴とする請求項５乃至６のいずれか１項に記載のサーバ。
【請求項８】
端末とサーバとが接続され、
前記端末は、請求項１乃至４のいずれか１項に記載の端末であり、
前記サーバは、請求項５乃至７のいずれか１項に記載のサーバである、
ことを特徴とする作業支援システム。
【請求項９】
ケーブルに付与された標識から前記ケーブルに対応する第１の識別子を読み取る読取工程と、
前記ケーブルが接続される電気製品の設置場所を示す情報を前記第１の識別子と対応づけて記憶する記憶工程を有し、
前記読取工程において前記第１の識別子を読み取ると、前記第１の識別子に対応する前記設置場所を示す情報を、前記記憶工程で記憶した情報の中から取得し、表示する、
ことを特徴とする作業支援方法。
【請求項１０】
前記記憶工程では、前記第１の識別子と対応づけて、前記ケーブルが接続される前記電気製品の接続端子の位置情報と、前記電気製品に対応する所定の第２の識別子と、を記憶し、
前記読取工程において、前記位置情報の前記電気製品に付与された前記標識から前記電気製品に対応する前記第２の識別子を読み取ると、読み取った前記第１の識別子及び前記第２の識別子に対応する前記接続端子の位置情報を、前記記憶工程で記憶した情報の中から取得し、表示する、
ことを特徴とする請求項９に記載の作業支援方法。
【発明の詳細な説明】
【技術分野】
【０００１】
本発明は、端末、サーバ、作業支援システム、作業支援方法に関し、特に、ケーブル接続作業を支援する端末、サーバ、作業支援システム、作業支援方法に関する。
【背景技術】
【０００２】
一般的に、敷設作業者は、情報処理装置に光ファイバ等のケーブルを接続する。しかし、経験の少ない敷設作業者は、ケーブルを適切な情報処理装置に接続したのか、確認に時間を要してしまうという課題があった。なぜなら、敷設作業者は、適切な情報処理装置に接続したのか、設計図（工事用図面）と比較しながら目視で確認を行うからである。
上述の課題を解決する技術として、以下の特許文献１が開示されている。
【０００３】
特許文献１の結線チェックシステムは、ケーブルが結線された電気機器の画像データから電気機器の識別番号とケーブルの識別番号を読み取って関連づけ、その関連づけたデータと設計データとの突合せを行って、結線作業の正誤を判別する。特許文献１の結線チェックシステムは、上述の正誤の判別として、電気機器の識別番号に関連するケーブルの識別番号が設計データ通りであるかどうかを判別してもよい。電気機器とケーブルの識別番号は、予め電気機器とケーブルに表示される。
【０００４】
上述の構成や動作の通り、特許文献１の結線チェックシステムは、目視と異なり、結線作業の正誤を瞬時に判断することができる。その結果、敷設作業者は、自身が行った結線作業の確認を短時間に行うことができる。
【先行技術文献】
【特許文献】
【０００５】
【特許文献１】特開２０１１−１３０６５２号公報
【発明の概要】
【発明が解決しようとする課題】
【０００６】
しかし、特許文献１の結線チェックシステムは、敷設作業者の結線作業を十分に軽減していないという課題があった。なぜならば、特許文献１の結線チェックシステムは、電気機器とケーブルの結線後に、結線の正誤を判別するものであって、敷設作業者がケーブルを適切な電気機器に結線できるよう誘導するものではないからである。
【０００７】
その為、特許文献１の結線チェックシステムを用いる敷設作業者は、何の誘導もないので結線を誤ることもあり、その場合には、（特許文献１の結線チェックシステムによって）結線誤りと判別され、結線をやり直ししなければならなかった。結線のやり直しが必要となる特許文献１の結線チェックシステムは、敷設作業者の結線作業を十分に軽減していなかった。
【０００８】
本発明は、上記課題を解決する端末、サーバ、作業支援システム、作業支援方法を提供することを目的とする。
【課題を解決するための手段】
【０００９】
上記目的を達成するために、本発明の端末は、ケーブルに付与された標識から読み取った前記ケーブルに対応する第１の識別子を送信する送信部と、前記送信に応じて返信された、前記ケーブルが接続される電気製品の設置場所を示す情報を、自身に備わる画面に表示する表示部と、を備える。
【００１０】
上記目的を達成するために、本発明のサーバは、ケーブルに対応する第１の識別子と、前記ケーブルが接続される電気製品の設置場所を示す情報とを対応づけて記憶するデータベースを備え、受信した前記第１の識別子に対応する前記電気製品の設置場所を示す情報を前記データベースから読み出し、送信する。
【００１１】
上記目的を達成するために、本発明の作業支援システムは、端末とサーバとが接続され、前記端末は、ケーブルに付与された標識から読み取った前記ケーブルに対応する第１の識別子を送信する送信部と、前記送信に応じて返信された、前記ケーブルが接続される電気製品の設置場所を示す情報を、自身に備わる画面に表示する表示部と、を備える端末であり、前記サーバは、ケーブルに対応する第１の識別子と、前記ケーブルが接続される電気製品の設置場所を示す情報とを対応づけて記憶するデータベースを備え、受信した前記第１の識別子に対応する前記電気製品の設置場所を示す情報を前記データベースから読み出し、送信するサーバである。
【００１２】
上記目的を達成するために、本発明の作業支援方法は、ケーブルに付与された標識から前記ケーブルに対応する第１の識別子を読み取る読取工程と、前記ケーブルが接続される電気製品の設置場所を示す情報を前記第１の識別子と対応づけて記憶する記憶工程を有し、前記読取工程において前記第１の識別子を読み取ると、前記第１の識別子に対応する前記設置場所を示す情報を、前記記憶工程で記憶した情報の中から取得し、表示する。
【発明の効果】
【００１３】
本発明によれば、作業支援システムは、敷設作業者の結線作業を十分に軽減することができる。
【図面の簡単な説明】
【００１４】
【図１】本発明の第１の実施の形態における作業支援システムの構成例を示す図である。
【図２】本発明の第１の実施の形態における作業支援システムが扱う情報処理装置やケーブルの構成例を示す図である。
【図３】本発明の第１の実施の形態における作業支援システムのサーバ２０に登録される装置情報の一例を示す図である。
【図４】本発明の第１の実施の形態における作業支援システムのサーバ２０に登録される結線図情報の一例を示す図である。
【図５】本発明の第１の実施の形態における作業支援システムの動作（結線図を作成する動作）を説明する為の図である。
【図６】本発明の第１の実施の形態における作業支援システムが結線図を作成する過程で生成する外観画像関連データの一例を示す図である。
【図７】本発明の第１の実施の形態における作業支援システムの動作（結線図から結線図情報を作成し、サーバ２０に登録する動作）を説明する為の図である。
【図８】本発明の第１の実施の形態における作業支援システムの動作（ケーブルが接続される情報処理装置の設置場所を作業者に提供する動作）を説明する為の図である。
【図９】本発明の第１の実施の形態における作業支援システムの別の構成例（接続端子が情報処理装置に複数ある場合の構成例）を示す図である。
【図１０】本発明の第１の実施の形態における作業支援システムの動作（ケーブルが接続される接続端子の位置を作業者に提供する動作）を説明する為の図である。
【図１１】本発明の第２の実施の形態における作業支援システムの構成例を示す図である。
【発明を実施するための形態】
【００１５】
次に本発明の実施形態について、図面を参照して詳細に説明する。
【００１６】
≪第１の実施の形態≫
[概要]
本発明の第１の実施の形態における作業支援システムは、作業者が適切な情報処理装置にケーブルを接続できるよう誘導するシステムである。
【００１７】
その為に、本実施形態の作業支援システムは、ケーブルに付与されたＡＲ（Ａｕｇｍｅｎｔｅｄ  Ｒｅａｌｉｔｙ）マーカーから、そのケーブルを示す識別子を読み取る。さらに、本実施形態の作業支援システムは、読み取ったケーブルを示す識別子をキーに、そのケーブルが接続される情報処理装置の設置場所を示す情報をデータベースから取得する。
【００１８】
データベースには、ケーブルを示す識別子と、そのケーブルが接続される情報処理装置の設置場所を示す情報とが対応づけられて登録されている。上述の設置場所を示す情報は、例えば、情報処理装置がラック内の何段目に搭載されているのか、搭載位置を示す情報であってもよい。
【００１９】
本実施形態の作業支援システムは、取得した情報処理装置の設置場所を示す情報（例えば、ラック内の搭載位置）を、作業者の保持する携帯端末の画面に表示する。
【００２０】
その結果、作業者は、どの情報処理装置にケーブルを接続してよいのかが分かる。すなわち、作業支援システムは、ケーブルを適切な情報処理装置に接続できるよう作業者を誘導する。
【００２１】
以下に、本発明の第１の実施の形態における作業支援システムの構成や機能、動作について説明する。
【００２２】
［構成の説明］
まず、本発明の第１の実施の形態における作業支援システムの構成と機能について説明する。
【００２３】
（１）本発明の第１の実施の形態における作業支援システムの構成
図１は、本発明の第１の実施の形態における作業支援システムの構成例を示す図である。
【００２４】
本実施形態の作業支援システムは、図１に示されるように、携帯端末１０と、サーバ２０を備える。
【００２５】
携帯端末１０は、ディスプレイ１１とカメラ１２を備える。また、携帯端末１０は、結線図作成ソフト１３と挿抜支援ソフト１４を備える。サーバ２０は、データベース２１、２２を備える。
【００２６】
携帯端末１０は、サーバ２０と無線回線を介して接続される。
【００２７】
（２）情報処理装置やケーブルの構成
本実施形態の作業支援システムが扱う情報処理装置やケーブルの構成について説明を行う。図２は、本発明の第１の実施の形態における作業支援システムが扱う情報処理装置やケーブルの構成例を示す図である。
【００２８】
（２−１）情報処理装置３０とラック４０の構成
本実施形態の作業支援システムが扱う情報処理装置３０は、図２に示される通り、接続端子３１を備える。接続端子３１は、一般的な接続ポートであり、ケーブル５０の接続端子５１と接続可能である。
【００２９】
また、情報処理装置３０には、ＡＲマーカー３２が付与される。ＡＲマーカー３２は、本実施形態の作業支援システムの管理者によって付与される。
【００３０】
さらに、情報処理装置３０は、ラック４０に収容される。
【００３１】
ラック４０は、一般的なラックである。ラック４０は、１９インチラックであってもよい。ラック４０には、ＡＲマーカー４１が本実施形態の作業支援システムの管理者によって付与される。
【００３２】
（２−２）ケーブル５０の構成
ケーブル５０は、接続端子５１を備える。接続端子５１は、一般的な接続ポートであり、情報処理装置３０の接続端子３１と接続可能である。ケーブル５０には、ＡＲマーカー５２が本実施形態の作業支援システムの管理者によって付与される。
【００３３】
（２−３）ＡＲマーカーについて
各ＡＲマーカー３２、４１、５２の画像パターンはそれぞれ異なる。
【００３４】
（３）携帯端末１０の機能
携帯端末１０は、結線図作成ソフト１３と挿抜支援ソフト１４を備えるので、それぞれの機能について以下に説明する。
【００３５】
（３−１）挿抜支援ソフト１４の機能
まず、挿抜支援ソフト１４は、ケーブル５０に付与されたＡＲマーカー５２から、ケーブル５０を示す識別子を読み取り、サーバ２０に送信する。
【００３６】
さらに、挿抜支援ソフト１４は、サーバ２０から（ケーブル５０が接続される）情報処理装置３０の設置場所を示す情報が返信されると、返信された情報を携帯端末１０に備わる画面に表示する。
【００３７】
上述の機能を実現する為に、挿抜支援ソフト１４は、図示していないが、解析モジュール１４０、検索モジュール１４１、情報表示モジュール１４２、判定表示モジュール１４３の４つの機能を有する。４つの機能の動作については、後述の［動作の説明］で詳細に説明する。
【００３８】
（３−２）結線図作成ソフト１３の機能
サーバ２０（のデータベース２２）には、ケーブル５０を示す識別子と、そのケーブル５０が接続される情報処理装置３０の設置場所を示す情報と、が関連づけられた情報（以下、「結線図情報」という）が登録される。
【００３９】
上述の結線図情報は、結線図作成ソフト１３がサーバ２０に登録する。結線図情報を登録する為に、結線図作成ソフト１３は、以下の機能を有する。
【００４０】
まず、結線図作成ソフト１３は、ケーブル５０と情報処理装置３０に付与されたＡＲマーカー４１、５２からケーブルを示す識別子と、情報処理装置を示す識別子を読み取る。
【００４１】
結線図作成ソフト１３は、読み取ったケーブルを示す識別子と、情報処理装置を示す識別子とをサーバ２０に送信し、サーバ２０から返信されたケーブルの画像と情報処理装置の画像とを、周知の描図ソフトによって起動された描画画面上に表示する。周知の描図ソフトは、ＶＩＳＩＯ（登録商標）であってもよい。その場合、上述のケーブルの画像と情報処理装置の画像は、ステンシルの画像である。
【００４２】
描画画面上に表示された画像は、作業者によって操作され、結線図を作成するのに使用される。結線図とは、ケーブルと情報処理装置の接続関係を示した図である。重なり合う２つの画像は、互いに接続していることを示す。
【００４３】
結線図作成ソフト１３は、結線図の作成が完了したことを示す信号が入力されると、結線図から上述の結線図情報を作成し、作成した結線図情報をサーバ２０に送信する。
【００４４】
結線図から結線図情報を作成する具体的な手順については、後述の[動作の説明]にて後述するが、結線図作成ソフト１３は、解析モジュール１３０、検索モジュール１３１、編集モジュール１３２、結線図作成モジュール１３３の４つの機能を用いて作成・登録する。
【００４５】
（３−３）携帯端末１０のディスプレイ１１と、カメラ１２について
ディスプレイ１１とカメラ１２は、一般的な携帯端末に備わるディスプレイとカメラである。ディスプレイ１１は、ヘッドマウントディスプレイであってもよい。
【００４６】
（４）サーバ２０のデータベース２１、２２の機能
（４−１）データベース２１の機能
サーバ２０のデータベース２１には、本実施形態の作業支援システムの管理者によって装置情報が予め登録される。装置情報は、結線図と結線図情報を作成する為に必要な情報が纏められたものであり、結線図作成ソフト１３によって使用される。
【００４７】
装置情報は、図３に示されるように、ＡＲマーカーが付与されている製品毎に、製品の種類（すなわち、ケーブル、情報処理装置、ラックのいずれか）を示す識別子ａと、製品の外観画像データと、製品の属性データと、が関連づけられた表である。
【００４８】
以下、ケーブルを示す識別子ａは、識別子ａ１であり、情報処理装置を示す識別子ａは識別子ａ２であり、ラックを示す識別子ａは識別子ａ３であるものとして説明を行う。上述の識別子ａ１、ａ２、ａ３は、製品の型番であってもよい。
【００４９】
なお、上述の属性データは、製品に関連するデータであり、例えば、製品のサイズであってもよい。上述の外観画像データは、製品の画像ファイルである。
【００５０】
サーバ２０のデータベース２１は、識別子ａ（ａ１、ａ２、ａ３のいずれか）が入力されると、識別子ａをキーに、識別子ａに関連する製品の外観画像データと、属性データとを装置情報から検索して、出力する。
【００５１】
（４−２）データベース２２の機能
図４は、サーバ２０に登録される結線図情報の一例を示す図である。
【００５２】
サーバ２０のデータベース２２には、結線図情報が結線図作成ソフト１３によって登録される。
【００５３】
結線図情報は、図４に示されるように、ケーブルを示す識別子と、そのケーブルが接続される情報処理装置の設置場所を示す情報（以下、「設置場所情報」という）とが関連づけられたものである。さらに、結線図情報には、ケーブルが接続される情報処理装置を示す識別子（以下、「接続先識別子」という）やその情報処理装置の外観画像データ、情報処理装置の属性データも関連づけられる。
【００５４】
図４では、ケーブルを示す識別子としてｂ１を記載しているが、このｂ１はケーブル５０を示す識別子である。さらに、接続先識別子としてｂ２を記載しているが、ｂ２は情報処理装置３０を示す識別子である。
【００５５】
上述の識別子ｂ１やｂ２は、ケーブル５０や情報処理装置３０のシーケンス番号であってもよい。上述の設置場所情報は、情報処理装置３０がラック４０内の何段目に搭載されているのか、搭載位置を示す情報である。
【００５６】
サーバ２０のデータベース２２は、識別子ｂ１又はｂ２が入力されると、その識別子をキーに、その識別子に関連する情報（設置場所情報等）を結線図情報から読み出し、出力する。なお、図４には図示していないが、ｂ３は、以下、ラック４０を示す識別子であるものとする。
【００５７】
（４−３）サーバ２０の機能
サーバ２０は、結線図作成ソフト１３から受信した識別子ａ（すなわち、識別子ａ１、ａ２、ａ３のいずれか）を受信すると、受信した識別子をデータベース２１に入力し、データベース２１から出力された情報を結線図作成ソフト１３に出力する。
【００５８】
サーバ２０は、挿抜支援ソフト１４から識別子ｂ（すなわち、識別子ｂ１、ｂ２のいずれか）を受信すると、受信した識別子をデータベース２２に入力し、データベース２２から出力された情報を挿抜支援ソフト１４に出力する。
【００５９】
［動作の説明］
（１）概要説明
本実施形態の作業支援システムは、以下のフロー１〜フロー３を実施する。フロー１は、結線図を作成する工程であり、フロー２は、結線図から上述の結線図情報を作成し、サーバ２０のデータベース２２に登録する工程である。フロー３は、ケーブルが接続される情報処理装置の設置場所（搭載位置）を携帯端末１０の画面に表示する工程である。作業支援システムがフロー１〜フロー３を実施することで、作業者は、どの情報処理装置にケーブルを接続してよいのかが分かる。
【００６０】
さらに、情報処理装置には、図９に示されるように、ケーブルを接続可能な接続端子が複数備わる場合がある。図９では、情報処理装置３０には、接続端子３１以外に、接続端子３３が備わっている場合を示している。その場合、本実施形態の作業支援システムは、フロー４を実施してもよい。フロー４は、ケーブルを接続する接続端子を携帯端末１０の画面に表示する工程である。本実施形態の作業支援システムがフロー４を実施することで、作業者は、どの情報処理装置のどの接続端子にケーブルを接続してよいのかが分かる。
【００６１】
なお、上述の結線図情報が予めデータベース２２に登録されているときには、本実施形態の作業支援システムは、フロー１とフロー２を省略してもよい。本実施形態の作業支援システムは、フロー３は実施しなければならない。本実施形態の作業支援システムで最も重要なのは、フロー３である。本明細書の読者は、後述の「（２−３）結線図情報について」に示される結線図情報がデータベース２２に登録されたことを念頭に、「（３）フロー３」から先に本明細書を読むこともできる。
【００６２】
以下、フロー１から本実施形態の作業支援システムの動作を詳細に説明する。説明は、図５〜９を用いる。
【００６３】
（１）フロー１（結線図の作成を行う工程）
結線図を作成する工程を説明する。
【００６４】
この工程では、結線図作成ソフト１３が、ＡＲマーカーの画像をキーに、ケーブルの画像や情報処理装置の画像をデータベース２１（装置情報）から読み出し、周知の描図ソフトによって起動された描画画面上に表示する。周知のソフトとは、例えばＶＩＳＩＯ（登録商標）であってもよい。その場合、上述のケーブルの画像と情報処理装置の画像は、ステンシルの画像である。
【００６５】
作業者は、描画画面上に表示された画像を操作して結線図を作成することができる。
【００６６】
（１−１）ＡＲマーカーの撮影
まず、作業者は、図示していないが、ケーブル５０を情報処理装置３０に接続する前に、携帯端末１０の結線図作成ソフト１３を起動し、さらに、カメラ１２によってＡＲマーカー３２、５２、４１をそれぞれ撮影する。
【００６７】
このとき、カメラ１２は、図５に示されるように、撮影したＡＲマーカー３２、５２、４１の画像データを結線図作成ソフト１３の解析モジュール１３０に送信する（Ｓ１）。
【００６８】
（１−２）画像データに対応する製品の識別子ａ、ｂの読み出し
次に、解析モジュール１３０は、カメラ１２からＡＲマーカー３２、４１、５２の画像データを受信すると、受信した画像データから、ＡＲマーカー３２、４１、５２が付与されている製品の種類を示す識別子ａと、その製品を示す識別子ｂを読み出す（Ｓ２）。
【００６９】
具体的には、解析モジュール１３０にはＡＲマーカーの画像データと対応づけて上述の識別子ａ、ｂが予め設定されており、解析モジュール１３０は、受信した画像データ３２、４１、５２毎に、対応する識別子ａ、ｂを求める。
【００７０】
以下、解析モジュール１３０には、ＡＲマーカー５２の画像データと対応づけて識別子ａ１、ｂ１が設定されており、解析モジュール１３０は、受信したＡＲマーカー５２の画像データに対応する識別子ａ１、ｂ１を求めたものとして説明を続ける。識別子ｂ１は、（ＡＲマーカー５２が付与されている製品である）ケーブル５０を示す識別子である。また、識別子ａ１は、（ＡＲマーカーが付与される製品にはケーブルや情報処理装置、ラックといったいくつかの種類があるが、）その１つであるケーブルを示す識別子である。
【００７１】
同様に、解析モジュール１３０は、ＡＲマーカー３２、４１の画像データから、識別子ａ２、ｂ２と、識別子ａ３、ｂ３を求めたとする。
【００７２】
識別子ａ２は、上述の製品の種類の１つである情報処理装置を示す識別子であり、識別子ｂ２は、（ＡＲマーカー５３が付与されている製品である）情報処理措置３０を示す識別子である。識別子ａ３は、上述の製品の種類の１つであるラックを示す識別子であり、識別子ｂ３は、（ＡＲマーカー４１が付与されている製品である）ラック４０を示す識別子である。
【００７３】
（１−３）読み出した識別子ａ、ｂの部位間での受け渡し
次に、解析モジュール１３０は、上述のＳ２で求めた識別子ａ（ａ１、ａ２、ａ３）を検索モジュール１３１に送信し、さらに、上述のＳ２で求めた各識別子ａ、ｂ（ａ１とｂ１、ａ２とｂ２、ａ３とｂ３）を関連づけて編集モジュール１３２に出力する（Ｓ３）。
【００７４】
（１−４）識別子ａ、ｂに対応する外観画像データ等の読み出し
次に、検索モジュール１３１は、受信した識別子ａ（ａ１、ａ２、ａ３）をサーバ２０に送信する（Ｓ４）。
【００７５】
次に、サーバ２０は、受信した識別子ａ（ａ１、ａ２、ａ３）をデータベース２１に入力する（Ｓ５）。
【００７６】
次に、サーバ２０のデータベース２１は、入力された識別子ａ（ａ１、ａ２、ａ３）毎に、その識別子ａに関連する製品の外観画像データと属性データを（図３に示す装置情報から）検索して識別子ａと共にサーバ２０本体に返す（Ｓ６）。
【００７７】
サーバ２０は、データベース２１から返された外観画像データ、属性データ、及び識別子ａを関連づけて編集モジュール１３２に送信する（Ｓ７）。
【００７８】
（１−５）上述のＳ５〜Ｓ７を実施した結果
上述のＳ５〜Ｓ７を実施した結果、サーバ２０は、識別子ａ１、ケーブルの外観画像データ、及び属性データを編集モジュール１３２に送信する。同様に、サーバ２０は、識別子ａ２、情報処理装置の外観画像データ、及び属性データを編集モジュール１３２に送信し、識別子ａ３、ラック４０の外観画像データ、及び属性データを編集モジュール１３２に送信する。
【００７９】
編集モジュール１３２に送信したデータは、以下、「外観画像データ等」と総称する。
【００８０】
（１−６）結線図作成モジュール１３３への出力
次に、編集モジュール１３２は、図５に示されるように、上述のＳ７により受信した外観画像データ等と、上述のＳ３により入力された識別子ａ、ｂとを関連づけ、結線図作成モジュール１３３に出力する（Ｓ８）。
【００８１】
具体的には、編集モジュール１３２は、（Ｓ７により受信した外観画像データ等と、Ｓ３により入力された識別子ａ、ｂには、共通して識別子ａが含まれるので、）識別子ａが同じ識別子ｂと外観画像データ等とを関連づけて結線図作成モジュール１３３に出力する。
【００８２】
結線図作成モジュール１３３に出力された識別子ａ、ｂと外観画像データ等は、以下、「外観画像関連データ」という。
【００８３】
Ｓ３により入力された識別子ａ、ｂは、ａ１とｂ１、ａ２とｂ２、ａ３とｂ３であり、Ｓ７により受信した外観画像データ等は（１−５）で説明した通りなので、Ｓ８で作成された外観画像関連データは、図６に示す通りとなる。
【００８４】
（１−７）外観画像データの表示
次に、結線図作成モジュール１３３は、外観画像関連データが入力されると、周知の描図ソフトを起動し、そのソフトの描図画面上に、外観画像関連データに含まれる外観画像データを画像として表示する（Ｓ９）。
【００８５】
周知の描図ソフトがＶＩＳＩＯである場合には、外観画像データ（画像ファイル）をＭｙ  Ｓｈａｐｅｓフォルダに追加するか、「図の挿入」ダイアログを開いて外観画像データを選択することで、その画像が描図画面上に表示され、上述のＳ９が実現される。
【００８６】
なお、結線図作成モジュール１３３は、上述のＳ９において、表示する画像毎に、関連する外観画像関連データを画像の属性データとして付与する。
【００８７】
上述のＳ９が実施された結果、携帯端末１０の画面には、ケーブルの画像と、情報処理装置の画像と、ラックの画像が表示される。外観画像関連データには、図６に示されるように、ケーブル、情報処理装置、ラックの外観画像データが含まれるからである。
【００８８】
（１−８）結線図の作成
作業者は、描図画面上において外観画像データを移動させて結線図を作成する（Ｓ１０）。
【００８９】
作業者は、ＶＩＳＩＯを用いる場合、ケーブルと情報処理装置の画像を接続する際には、ケーブルの画像と情報処理装置の画像それぞれに接続ポインタを設け、接続ポインタにおいてケーブルの画像と情報処理装置の画像とを接着させる。後述の「（２）フロー２」で、結線図作成モジュール１３３がケーブルと情報処理装置が接続していることを把握できるようにするためである。
【００９０】
携帯端末１０の画面には、作成された結線図が表示される。
【００９１】
以上がフロー１の動作である。作業者は、作成する際、接続するケーブルや情報処理装置の画像を見ながら作成するので、誤らずに結線図を作成できる。
【００９２】
（２）フロー２（結線図情報をデータベース２２に登録する工程）
次に、作業者は、結線図が完成させると、図７に示されるように、携帯端末１０に備わる所定のボタン（以下、「結線図登録ボタン」という）を押下する（Ｓ２０）。
【００９３】
次に、結線図登録ボタンが押下されると、携帯端末１０本体は、結線図の解析を指示する信号（以下、「解析指示」という）を結線図作成モジュール１３３に出力する（Ｓ２１）。
【００９４】
次に、携帯端末１０の結線図作成モジュール１３３は、解析指示が入力されると、作成された結線図を解析し、結線図から結線図情報を作成する（Ｓ２２）。
【００９５】
具体的には、結線図作成モジュール１３３は、以下の（２−１）、（２−２）を実施する。
【００９６】
以下の（２−１）と（２−２）では、接続するケーブルと情報処理装置の画像を結線図から抽出し、抽出した画像に付与されている付属データを関連づけること、すなわち、接続状態のデータ化を行っている。以下の（２−３）は、（２−１）と（２−２）を実施したことで生成される結線図情報を具体的に示している。
【００９７】
（２−１）接続状態のデータ化
（２−１−１）ケーブルと情報処理装置の接続状態のデータ化
まず、結線図作成モジュール１３３は、解析指示が入力されると、図示していないが、作成された結線図を解析し、接続するケーブルと情報処理装置の画像を求め、求めたケーブルと情報処理装置の各画像に付与されている属性データを関連づける。
【００９８】
ＶＩＳＩＯを用いて結線図を作成した場合には、結線図作成モジュール１３３は、以下の（Ｉ）〜（Ｖ）に示される処理を行うことで、接続するケーブルと情報処理装置の各画像に付与されている属性データを関連づけることができる。
【００９９】
（Ｉ）結線図作成モジュール１３３は、結線図の中からケーブルの画像を選択する。具体的には、結線図作成モジュール１３３は、ケーブルを示す識別子ａ１を含む属性データが付与されている画像を選択する。
【０１００】
（ＩＩ）次に、結線図作成モジュール１３３は、（Ｉ）で選択したケーブルの画像に接着する画像を求め、その画像が情報処理装置の画像か否かを判別する。
【０１０１】
具体的には、結線図作成モジュール１３３は、（Ｉ）で求めたケーブルの画像に関連づけられているＰｉｎＸセルから接着先の画像を求め、求めた接着先の画像に付与されている属性データに、情報処理装置を示す識別子ａ２が含まれているか否かを判別する。上述のＰｉｎＸセルは、予め画像に関連づけられているデータで、接着する際には、ＶＩＳＩＯにより、接着先（接続先）の画像を示す情報が記載される。
【０１０２】
（ＩＩＩ）次に、結線図作成モジュール１３３は、（ＩＩ）の判別の結果、接着する画像が情報処理装置の画像である場合、すなわち、情報処理装置の画像に付与されている属性データに識別子ａ２が含まれる場合には、その属性データを抽出する。
【０１０３】
（ＩＶ）次に、結線図作成モジュール１３３は、（Ｉ）で選択したケーブルの画像に付与されている属性データの中に含まれる識別子ｂ１（ケーブル５０を示す識別子）を抽出する。
【０１０４】
（Ｖ）次に、結線図作成モジュール１３３は、（ＩＩＩ）で抽出した属性データと、（ＩＶ）で抽出した識別子ｂ１と、を関連づける。
【０１０５】
なお、上述の（Ｉ）でケーブルの画像を複数選択した場合には、全てのケーブルの画像について、上述の（ＩＩ）〜（Ｖ）を実施する。また、上述の（ＩＩ）の判別の結果、接着先が情報処理装置の画像でない場合には、（Ｉ）に戻り、他のケーブルの画像について、上述の（ＩＩ）〜（Ｖ）を実施する。
【０１０６】
（Ｉ）〜（Ｖ）の動作により、ケーブル５０を示す識別子ｂ１と、ケーブル５０に接続される情報処理装置３０の属性データ（情報処理装置３０を示す識別子ｂ２、情報処理装置３０の外観画像データ等）が関連づけられる。（Ｉ）〜（ＩＶ）の動作により関連づけられたデータは、以下「接続状態関連データ」という。
【０１０７】
（２−２）情報処理装置３０の搭載位置のデータ化
次に、図示していないが、上述の（Ｖ）の後、結線図作成モジュール１３３は、描図画面上、情報処理装置３０がラック４０の何段目に搭載されているのか、すなわち搭載位置を示す情報を取得する。
【０１０８】
具体的には、結線図作成モジュール１３３は、描図画面の各画像から、ラック４０に搭載されている情報処理装置３０の画像の輪郭（以下、「搭載画像」という）を周知のエッジ検出方法により求める。ここで、結線図作成モジュール１３３には、上述の搭載画像と対応づけて、情報処理装置３０の搭載位置を示す情報（ラック４０の何段目に情報処理装置３０が搭載されているかを示す情報）が予め設定されている。結線図作成モジュール１３３は、抽出した搭載画像に対応する搭載位置を示す情報を取得する。
【０１０９】
次に、結線図作成モジュール１３３は、図示していないが、取得した搭載位置を示す情報を、上述の（Ｉ）〜（Ｖ）で生成された接続状態関連データに関連づけ、結線図情報として記憶する。
【０１１０】
（２−３）結線図情報について
上述の（２−１）、（２−２）が実施された結果、結線図情報は、図４に示される結線図情報が生成される。
【０１１１】
すなわち、生成された結線図情報は、ケーブル５０を示す識別子ｂ１と、ケーブル５０が接続される情報処理装置３０を示す識別子ｂ２（接続先識別子ｂ２）とが関連づけられている。また、結線図情報は、ケーブルが接続される情報処理装置３０の外観画像データと、その情報処理装置３０の（ラック４０内での）搭載位置を示す情報と、情報処理装置３０の各種属性データと、が関連づけられている。
【０１１２】
なお、結線図情報は、ケーブルを示す識別子ｂと、そのケーブルが接続される情報処理装置を示す識別子ｂと、情報処理装置の外観画像データと、情報処理装置の（ラック内での）搭載位置を示す情報とが関連づけられたデータである。その為、結線図情報には、ケーブル５０や情報処理装置３０以外のケーブルや情報処理装置の情報（識別子や外観画像データ）が含まれていてもよい。
【０１１３】
（２−４）Ｓ２２の後の動作
次に、結線図作成モジュール１３３は、上述Ｓ２０で記憶する結線図情報をサーバ２０に送信する（Ｓ２３）。
【０１１４】
次に、サーバ２０は、結線図情報をデータベース２２に登録する（Ｓ２４）。
【０１１５】
（３）フロー３（ケーブルを接続する情報処理装置の搭載位置を表示する工程）
次に、フロー３について説明する。情報処理装置３０はラック４０に搭載されている。
【０１１６】
（３−１）ケーブル５０に付与されているＡＲマーカー５１の撮影
まず、作業者は、図示していないが、ケーブル５０を情報処理装置３０に接続する前に、携帯端末１０の挿抜支援ソフト１４を起動し、さらに、カメラ１２によってケーブル５０に付与されているＡＲマーカー５２を撮影する。
【０１１７】
このとき、カメラ１２は、図８に示されるように、撮影したＡＲマーカー５２の画像データを挿抜支援ソフト１４の解析モジュール１４０に送信する（Ｓ３０）。
【０１１８】
（３−２）ＡＲマーカー５１からケーブル５０の識別子ｂ１を読み出し
次に、挿抜支援ソフト１４の解析モジュール１４０は、カメラ１２からＡＲマーカー５２の画像データが入力されると、ＡＲマーカー５２が付与されている製品（すなわち、ケーブル５０）を示す識別子ｂ１を読み出す（Ｓ３１）。
【０１１９】
具体的には、解析モジュール１４０にはＡＲマーカー５１の画像データと対応づけて、ＡＲマーカー５１が付与されるケーブル５０を示す識別子ｂ１が予め設定されており、解析モジュール１４０は、入力された画像データに対応する識別子ｂ１を求める。ＡＲマーカー５１の画像データと識別子ｂ１は、本実施形態の作業支援システムの管理者によって解析モジュール１４０に設定される。
【０１２０】
（３−３）読み出した識別子ｂ１の部位間での受け渡し
次に、解析モジュール１４０は、上述のＳ３１で読み出した識別子ｂ１を検索モジュール１４１と情報表示モジュール１４２に出力する（Ｓ３２）。
【０１２１】
（３−４）ケーブル５０が接続される情報処理装置３０の搭載位置を読み出し
次に、検索モジュール１４１は、受信した識別子ｂ１をサーバ２０に送信する（Ｓ３３）。
【０１２２】
次に、サーバ２０は、受信した識別子ｂ１をデータベース２２に入力する（Ｓ３４）。
【０１２３】
次に、データベース２２は、入力された識別子ｂ１をキーに、関連する設置場所情報を図４に示される結線図情報の中から（検索して）読み出し、読み出した設置場所情報をサーバ２０本体に返す（Ｓ３５）。
【０１２４】
上述の設置場所情報は、情報処理装置３０のラック４０内での搭載位置（何段目か）を示す情報である。
【０１２５】
サーバ２０は、データベース２２から返された設置場所情報（すなわち、搭載位置を示す情報）を編集モジュール１４２に送信する（Ｓ３６）。
【０１２６】
（３−５）搭載位置の表示
次に、情報表示モジュール１４２は、搭載位置を示す情報が入力されると、その情報を携帯端末１０の画面に表示する（Ｓ３７）。
【０１２７】
作業者は、ラック４０に複数の情報処理装置が搭載されていた場合であっても、ケーブルを接続すべき情報処理装置３０の搭載位置を把握でき、情報処理装置３０にケーブルを接続することができる。すなわち、携帯端末１０は、ケーブルを適切な情報処理装置に接続できるよう作業者を誘導する。
【０１２８】
（４）フロー４（ケーブルを接続する接続端子を表示する工程）
情報処理装置３０には、図９に示されるように、ケーブルを接続可能な接続端子が複数備わる場合がある。図９では、情報処理装置３０には、接続端子３１以外に、接続端子３３が備わっている場合を示している。その場合、本実施形態の作業支援システムは、以下の（４−２）に示すフロー４の処理を実施してもよい。その結果、本実施形態の作業支援システムは、ケーブル５０を接続する接続端子３１がどれかを作業者に示すことができる。
【０１２９】
（４−１）フロー４を動作させるための前提条件
なお、以下のフロー４の処理を正しく動作させるためには、結線図情報に、ケーブル５０を示す識別子ｂ１と関連づけて、接続端子３１の位置を示す情報が含まれている必要がある。その為に、作業者は、上述のフロー１〜３を実施する前に、以下の（４−１−１）を実施することを前提とする。
【０１３０】
（４−１−１）接続端子３１の位置を示す情報の登録
まず、作業者は、データベース２１に登録されている装置情報に接続端子３１の位置を示す情報を含める。具体的には、作業者は、装置情報の装置情報処理装置３０の属性データに、接続端子３１の位置を示す情報を含める。
【０１３１】
接続端子３１の位置を示す情報は、情報処理装置３０の外観画像データの接続端子３１に対応する箇所を示す情報であってもよい。例えば、情報処理装置３０の外観画像データが横１２８０ピクセル、縦１０２４ピクセルで構成され、接続端子３１が横５８０ピクセル目、縦１２４ピクセル目に位置していたとする。作業者は、横５８０ピクセル、縦１２４ピクセルを示す情報を、接続端子３１の位置を示す情報として、情報処理装置３０の属性データに含めることができる。
【０１３２】
上述の（４−１−１）の後、フロー１〜３が実施されると、結線図情報には、ケーブル５０を示す識別子ｂ１と関連づけて、接続端子３１の位置を示す情報が含まれる。具体的には、図４に示される結線図情報の属性データ（ケーブル５０を示す識別子ｂ１に関連する属性データ）には、接続端子３１の位置を示す情報が含まれる。
【０１３３】
以下、フロー４の処理について説明する。図１０は、ケーブルが接続される接続端子の位置を作業者に提供する動作（すなわち、フロー４の動作）を説明する為の図である。
【０１３４】
（４−２）フロー４の処理
（４−２−１）情報処理装置３０に付与されているＡＲマーカー３２の撮影
まず、作業者は、図示していないが、カメラ１２によって（情報処理装置３０に付与されている）ＡＲマーカー３２を撮影する。
【０１３５】
このとき、カメラ１２は、図１０に示されるように、撮影したＡＲマーカー３２の画像データを結線図作成ソフト１４の解析モジュール１４０に送信する（Ｓ４０）。
【０１３６】
（４−２−２）ＡＲマーカー３２から情報処理装置３０の識別子ｂ２の読み出し
次に、結線図作成ソフト１４の解析モジュール１４０は、カメラ１２からＡＲマーカー３２の画像データが入力されると、そのＡＲマーカー３２が付与されている製品（すなわち、情報処理装置３０）の識別子ｂ２を読み出す（Ｓ４１）。
【０１３７】
具体的には、解析モジュール１４０にはＡＲマーカー３２の画像データと対応づけて、ＡＲマーカー３２が付与される情報処理装置３０の識別子ｂ２が予め設定されており、解析モジュール１４０は、入力された画像データに対応する識別子ｂ２を求める。ＡＲマーカー３２の画像データと識別子ｂ２は、本実施形態の作業支援システムの管理者によって解析モジュール１４０に設定される。
【０１３８】
（４−２−３）読み出した識別子ｂ２の部位間での受け渡し
次に、解析モジュール１４０は、上述のＳ４１で読み出した識別子ｂ２を検索モジュール１４１に出力する（Ｓ４２）。
【０１３９】
（４−２−４）接続端子３１の位置を示す情報の読み出し
次に、検索モジュール１４１は、受信した識別子ｂ２をサーバ２０に送信する（Ｓ４３）。
【０１４０】
次に、サーバ２０は、受信した識別子ｂ２をデータベース２２に入力する（Ｓ４４）。
【０１４１】
データベース２２は、入力された識別子ｂ２に関連する接続端子３１の位置を示す情報、情報処理装置３０の外観データ、及びケーブル５０の識別子ｂ１を、結線図情報の中から検索して読み出し、それらを識別子ｂ２と共にサーバ２０本体に返す（Ｓ４５）。
【０１４２】
サーバ２０は、データベース２２から返された各種情報（すなわち、データベース２２から読み出した情報）を判定表示モジュール１４３に送信する（Ｓ４６）。
【０１４３】
（４−２−５）データベース２２から情報が読み出せたかどうかの判別
次に、判定表示モジュール１４３は、サーバ２０から受信した情報に識別子ｂ１とｂ２の両方が含まれるのかどうかを判別する（Ｓ４７）。
【０１４４】
データベース２２から読み出した情報が、ケーブル５０が接続される情報処理装置３０の情報か否かを判別する為である。
【０１４５】
（４−２−６）データベース２２から情報が読み出せた場合の情報取得動作
判定表示モジュール１４３は、入力された情報に識別子ｂ１とｂ２の両方が含まれている場合（Ｓ４７でＹｅｓの場合）、入力された情報から情報処理装置３０の外観画像データと、接続端子３１の位置を示す情報とを抽出する（Ｓ４８）。
【０１４６】
接続端子３１の位置を示す情報は、以下、「接続端子３１の位置情報」という。
【０１４７】
（４−２−７）接続端子３１の位置情報の表示
次に、判定表示モジュール１４３は、抽出した情報処理装置３０の外観画像データ（画像）を携帯端末１０の画面上に表示し、表示した情報処理装置３０の画像における、接続端子３１の位置情報が示す箇所を、（赤枠で囲むなど）強調表示する（Ｓ４９）。
【０１４８】
作業者は、強調表示されている接続端子が、ケーブル５０を接続する接続端子３１と把握することができる。
【０１４９】
（４−２−８）データベース２２から情報が読み出せていない場合の動作
なお、判定表示モジュール１４３は、サーバ２０から受信した情報に識別子ｂ１とｂ２のいずれかが含まれていない場合（Ｓ４７でＮｏの場合）には、図示していないが、携帯端末１０の画面に情報がない旨を表示する（Ｓ５０）。
【０１５０】
（５）携帯端末１０に関する補足
上記では、携帯端末１０は、解析モジュール１４０、検索モジュール１４１、情報表示モジュール１４２、判定表示モジュール１４３、カメラ１２を用いてフロー３、４を実施した。携帯端末１０は、同じ機能を有するのであれば、より少ない部位で構成されてもよい。例えば、携帯端末１０は、解析モジュール１４０、検索モジュール１４１及びカメラ１２の機能を有する送信部と、情報表示モジュール１４２と判定表示モジュール１４３の機能を有する表示部とを備えて、フロー３、４を実施してもよい。
【０１５１】
［効果の説明］
本実施形態によれば、作業支援システムは、敷設作業者の結線作業を十分に軽減することができる。なぜならば、本実施形態の作業支援システムは、ケーブルをどの情報処理装置に結線するのかを、作業者の持つ携帯端末の画面に表示し、作業者を誘導するからである。作業者は、結線した後に、結線作業をやり直すことがなくなるので、結線作業が軽減される。
【０１５２】
また、ケーブルを接続する為の接続端子が情報処理装置に複数あったとしても、本実施形態の作業支援システムは、どの接続端子にケーブルを結線するのかを携帯端末の画面に表示することもできるので、設定作業者の結線作業をさらに軽減することができる。
【０１５３】
≪第２の実施の形態≫
次に、本発明の第２の実施の形態について説明する。
【０１５４】
［構成の説明］
（１）第２の実施形態の作業支援システムの構成
図１１は、本発明の第２の実施の形態における作業支援システムの構成例を示す図である。
【０１５５】
第２の実施の形態における作業支援システムは、図１１に示されるように、端末１００とサーバ２００を備える。
【０１５６】
端末１００とサーバ２００は、無線回線を介して接続されてもよいし、有線回線を介して接続されてもよい。
【０１５７】
端末１００は、送信部１０１と表示部１０２を備える。
【０１５８】
サーバ２００は、データベース２０１を備える。
【０１５９】
なお、端末１００は、電気製品にケーブルを接続する敷設作業者に保持される端末である。上述の電気製品は、ラックに格納されてもよい。
【０１６０】
（２）端末１００とサーバ２００の機能
（２−１）端末１００の機能
端末１００の送信部１０１は、ケーブルに付与された標識から読み取った（ケーブルに対応する）第１の識別子を、接続するサーバ２００に送信する。標識は、ＡＲ（Ａｕｇｍｅｎｔｅｄ  Ｒｅａｌｉｔｙ）マーカーであってもよい。
【０１６１】
端末１００の表示部１０２は、第１の識別子の送信に応じてサーバ２００から返信された、上述のケーブルが接続される電気製品の設置場所を示す情報を、自身に備わる画面に表示する。
【０１６２】
（２−２）サーバ２００の機能
サーバ２００に備わるデータベース２０１は、上述の第１の識別子（ケーブルを示す識別子）と、ケーブルが接続される電気製品の設置場所を示す情報とを対応づけて記憶する。
【０１６３】
上述の設置場所を示す情報とは、電気製品が格納されるラックの搭載位置（何段目か）を示す情報であってもよい。
【０１６４】
サーバ２００は、端末１００から受信した第１の識別子に対応する電気製品の設置場所を示す情報をデータベース２０１から読み出し、端末１００に送信する。
【０１６５】
[動作の説明]
まず、端末１００の送信部１０１は、ケーブルに付与された標識から（ケーブルに対応する）第１の識別子を読み取る。
【０１６６】
例えば、送信部１０１は、ケーブルに付与された標識の画像を自身に備わるカメラで取得し、その画像に対応する第１の識別子を取得してもよい。この場合、送信部１０１には、標識の画像と対応づけて第１の識別子が本実施形態の作業支援システムの管理者によって設定される。
【０１６７】
次に、端末１００の送信部１０１は、ケーブルに付与された標識から読み取った（ケーブルに対応する）第１の識別子を、接続するサーバ２００に送信する。
【０１６８】
サーバ２００のデータベース２０１には、上述のケーブルが接続される電気製品の設置場所を示す情報が、第１の識別子と対応づけて記憶されている。
【０１６９】
サーバ２００のデータベース２０１は、端末１００から第１の識別子を受信すると、受信した第１の識別子に対応する電気製品の設置場所を示す情報をデータベース２０１から読み出し、端末１００に送信（返信）する。
【０１７０】
上述の電気製品の設置場所を示す情報とは、電気製品が格納されるラックの搭載位置（何段目か）を示す情報であってもよい。
【０１７１】
端末１００の表示部１０２は、サーバ２００から返信された、ケーブルが接続される電気製品の設置場所を示す情報を、自身に備わる画面に表示する。
【０１７２】
画面をみた敷設作業者は、表示された位置の電気製品にケーブルを接続することができる。すなわち、本実施形態の作業支援システムは、作業者を誘導することができる。
【０１７３】
［効果の説明］
本実施形態によれば、作業支援システムは、敷設作業者の結線作業を十分に軽減することができる。なぜならば、本実施形態の作業支援システムは、ケーブルをどの電気製品に結線するのかを、作業者の持つ端末の画面に表示し、作業者を誘導するからである。作業者は、結線した後に、結線作業をやり直すことがなくなるので、結線作業が軽減される。
【０１７４】
なお、上述した実施の形態は、その形態に限定されるものではなく、実施段階ではその要旨を逸脱しない範囲で種々変更可能である。
【０１７５】
さらに、上記の各実施形態の一部又は全部は、以下の付記のようにも記載されうるが、以下には限られない。
（付記１）
ケーブルに付与された標識から読み取った前記ケーブルに対応する第１の識別子を送信する送信部と、
前記送信に応じて返信された、前記ケーブルが接続される電気製品の設置場所を示す情報を、自身に備わる画面に表示する表示部と、を備える、
ことを特徴とする端末。
（付記２）
前記送信部は、前記電気製品に付与された前記標識から読み取った前記電気製品に対応する前記第２の識別子を送信し、
前記表示部は、前記第２の識別子の前記送信に応じて返信された、前記ケーブルが接続される前記電気製品の接続端子の位置情報を、自身に備わる画面に表示する、
ことを特徴とする付記１に記載の端末。
（付記３）
前記ケーブルの画像と関連するデータに、前記電気製品の画像を示す情報が含まれるときには、前記ケーブルに対応する前記第１の識別子と、前記電気製品の前記設置場所を示す情報とを対応づけて前記サーバに送信する、
ことを特徴とする付記１乃至２のいずれか１項に記載の端末。
（付記４）
前記標識は、ＡＲ（Ａｕｇｍｅｎｔｅｄ  Ｒｅａｌｉｔｙ）マーカーである、
ことを特徴とする付記１乃至３のいずれか１項に記載の端末。
（付記５）
ケーブルに対応する第１の識別子と、前記ケーブルが接続される電気製品の設置場所を示す情報とを対応づけて記憶するデータベースを備え、
受信した前記第１の識別子に対応する前記電気製品の設置場所を示す情報を前記データベースから読み出し、送信する、
ことを特徴とするサーバ。
（付記６）
前記データベースは、前記第１の識別子と対応づけて、前記ケーブルが接続される前記電気製品の接続端子の位置情報と、前記電気製品に対応する所定の第２の識別子と、を記憶し、
受信した前記第１の識別子及び前記第２の識別子に対応する前記接続端子の位置情報を前記データベースから読み出し、送信する、
ことを特徴とする付記５に記載のサーバ。
（付記７）
受信した前記第１の識別子及び前記電気製品の設置場所を示す情報を前記データベースに登録する、
ことを特徴とする付記５乃至６のいずれか１項に記載のサーバ。
（付記８）
端末とサーバとが接続され、
前記端末は、付記１乃至４のいずれか１項に記載の端末であり、
前記サーバは、付記５乃至７のいずれか１項に記載のサーバである、
ことを特徴とする作業支援システム。
（付記９）
ケーブルに付与された標識から前記ケーブルに対応する第１の識別子を読み取る読取工程と、
前記ケーブルが接続される電気製品の設置場所を示す情報を前記第１の識別子と対応づけて記憶する記憶工程を有し、
前記読取工程において前記第１の識別子を読み取ると、前記第１の識別子に対応する前記設置場所を示す情報を、前記記憶工程で記憶した情報の中から取得し、表示する、
ことを特徴とする作業支援方法。
（付記１０）
前記記憶工程では、前記第１の識別子と対応づけて、前記ケーブルが接続される前記電気製品の接続端子の位置情報と、前記電気製品に対応する所定の第２の識別子と、を記憶し、
前記読取工程において、前記位置情報の前記電気製品に付与された前記標識から前記電気製品に対応する前記第２の識別子を読み取ると、読み取った前記第１の識別子及び前記第２の識別子に対応する前記接続端子の位置情報を、前記記憶工程で記憶した情報の中から取得し、表示する、
ことを特徴とする付記９に記載の作業支援方法。
（付記１１）
前記記憶工程は、前記ケーブルの画像と関連するデータに、前記電気製品の画像を示す情報が含まれるときには、前記ケーブルに対応する前記第１の識別子と、前記電気製品の前記設置場所を示す情報とを対応づけて記憶する、
ことを特徴とする付記９乃至１０のいずれか１項に記載の作業支援方法。
（付記１２）
前記第１の識別子は、前記ケーブルのシリアル番号であり、
前記第２の識別子は、前記電気製品のシリアル番号である、
ことを特徴とする付記９乃至１１のいずれか１項に記載の作業支援方法。
（付記１３）
前記第１の識別子は、前記ケーブルのシリアル番号であり、
前記第２の識別子は、前記電気製品のシリアル番号である、
ことを特徴とする付記１乃至４のいずれか１項に記載の端末。
（付記１４）
前記画面は、ヘッドマウントディスプレイである、
ことを特徴とする付記１乃至４、又は付記１３のいずれか１項に記載の端末。
【符号の説明】
【０１７６】
１０    携帯端末
１１    ディスプレイ
１２    カメラ
１３    結線図作成ソフト
１４    挿抜支援ソフト
２０    サーバ
２１    データベース
２２    データベース
３０    情報処理装置
３１    接続端子
３２    ＡＲマーカー
３３    接続端子
４０    ラック
４１    ＡＲマーカー
５０    ケーブル
５１    接続端子
５２    ＡＲマーカー
１００    端末
１０１    送信部
１０２    表示部
１３０    解析モジュール
１３１    検索モジュール
１３２    編集モジュール
１３３    結線図作成モジュール
１４０    解析モジュール
１４１    検索モジュール
１４２    情報表示モジュール
１４３    判定表示モジュール
２００    サーバ
２０１    データベース
【図１】
2015188284.tif 000003
【図２】
2015188284.tif 000004
【図３】
2015188284.tif 000005
【図４】
2015188284.tif 000006
【図５】
2015188284.tif 000007
【図６】
2015188284.tif 000008
【図７】
2015188284.tif 000009
【図８】
2015188284.tif 000010
【図９】
2015188284.tif 000011
【図１０】
2015188284.tif 000012
【図１１】
2015188284.tif 000013